(57)【要約】【課題】引き出しの入動作に不都合を生じることなく出動作時には所定の停止作用が好ましく得られるドロワ装置を提供すること。【解決手段】第１の方向Ｘを規定したドロワ本体と、第１の方向に含まれた出方向Ｘ１及び入方向Ｘ２でドロワ本体に対し出入り可能な引き出しとを含むドロワ装置である。引き出しには、第１の方向に直交する第２の方向Ｙにおいて可動なピン７を備えた。一方、ドロワ本体には、第２の方向で互いに隣接した、ピンの通路となる第１及び第２の通路１１、１２と、第１の通路を第２の通路の途中に連通させた、ピンが通過可能な連通路１３と、第１の通路でのピンの出方向への移動を一時停止させると共にピンを第１の通路から連通路を通して第２の通路に移送するピン制御機構１４とを備えた。【選択図】図５
2011113242.tif 000002
【特許請求の範囲】
【請求項１】
第１の方向を規定したドロワ本体と、前記第１の方向に含まれた出方向及び入方向で前記ドロワ本体に対し出入り可能な引き出しとを含むドロワ装置において、
前記引き出しは、前記第１の方向に直交する第２の方向において可動なピンを備え、
前記ドロワ本体は、前記第２の方向で互いに隣接した、前記ピンの通路となる第１及び第２の通路、前記第１の通路を前記第２の通路の途中に連通させた、前記ピンが通過可能な連通路、及び前記第１の通路での前記ピンの前記出方向への移動を一時停止させると共に前記ピンを前記第１の通路から前記連通路を通して前記第２の通路に移送するピン制御機構を備えたことを特徴とするドロワ装置。
【請求項２】
前記ピン制御機構は、前記第１の通路に配されて前記連通路を開閉する可動なストッパー部と、前記ストッパー部を付勢して前記連通路を閉鎖させたストッパー付勢バネとを含み、
前記引き出しが前記出方向に進むときには、前記ピンは、前記第１の通路に沿って移動し、その移動の途中で前記ストッパー部により停止され、かつ前記ストッパー部を押し動かして前記連通路を開放させ、前記第１の通路から前記連通路を通って前記第２の通路に移って移動し、
前記引き出しが前記入方向に戻るときには、前記ピンが前記第２の通路に沿って移動して前記連通路をすぎてから前記第１の通路に移る、
請求項１に記載のドロワ装置。
【請求項３】
前記ストッパー部は、前記第１の方向における移動を伴って前記連通路を開閉するものであり、前記ドロワ本体は、前記ストッパー部を前記第１の方向で案内するガイド部を備えた、請求項２に記載のドロワ装置。
【請求項４】
前記ストッパー部及び前記ガイド部の少なくとも一方は、前記ピンを前記第１の通路から前記第２の通路に移動させる斜面を有する、請求項３に記載のドロワ装置。
【請求項５】
前記ストッパー付勢バネは、前記ガイド部と前記ストッパー部との間に介装され、前記ストッパー部を前記入方向に付勢している、請求項３又は４に記載のドロワ装置。
【請求項６】
前記引き出しは、前記ピンを前記第２の方向において前記第２の通路から前記第１の通路に向けて付勢したピン付勢バネを備えた、請求項１−５のいずれか一項に記載のドロワ装置。
【請求項７】
前記引き出しは、回動可能な支持部材を備え、前記ピン付勢バネは前記支持部材を回動方向で一方に付勢しており、前記ピンは前記支持部材の回動部分に備えられている、請求項６に記載のドロワ装置。
【発明の詳細な説明】
【技術分野】
【０００１】
本発明は、ドロワ本体に対し出入可能な引き出しを備えたドロワ装置に関する。
【背景技術】
【０００２】
この種のドロワ装置の一例が特許文献１に開示されている。そのドロワ装置は、ドロワ本体即ちキャビネットと、キャビネットに対し出入可能な引き出し即ちキャッシュボックスと、キャッシュボックスを出動作の途中で一旦停止させ得るストッパー機構とを備えている。そのドロワ装置によると、キャッシュボックスがキャビネットから出る途中で自動停止することで、キャッシュボックスの一部、即ち、通常はキャビネットの奥部に位置する部分の人目を避けることが可能になる。
【０００３】
そのストッパー機構は、キャビネットに装着されたキャビネット側規制部材とキャッシュボックスに装着されたボックス側規制部材とを含み、キャビネット側規制部材とボックス側規制部材とをキャッシュボックスの出入方向で適宜係合させることができるように構成されている。ボックス側規制部材は回動可能なものであり、状態保持バネによりキャビネット側規制部材に係合可能状態に付勢されている。
【０００４】
ボックス側規制部材は、キャビネットからキャッシュボックスが出る途中でキャビネット側規制部材に係合するが、その後は状態保持バネを蓄勢する向きに回動しつつキャビネット側規制部材を乗り越える。このときのボックス側規制部材とキャビネット側規制部材との係合により、キャッシュボックスの出し入れの途中での一旦停止を実現している。
【先行技術文献】
【特許文献】
【０００５】
【特許文献１】特開平１０−２６９４５２号公報
【発明の概要】
【発明が解決しようとする課題】
【０００６】
しかしながら、特許文献１に開示されたドロワ装置は、キャッシュボックスがキャビネットに入るときにもボックス側規制部材が状態保持バネを蓄勢しつつキャビネット側規制部材を乗り越える構造であるため、状態保持バネによるボックス側規制部材の付勢力を大きく設定するのはキャッシュボックスの入動作の邪魔になり適当ではない。即ち、ボックス側規制部材の付勢力を大きく設定すると、キャッシュボックスがキャビネットに入るときの動作を阻害するという不都合を生じる。かといって、ボックス側規制部材の付勢力を小さく設定すると、所定の停止作用が十分に得られないという問題をもつ。
【０００７】
それ故に本発明の課題は、引き出しの入動作に不都合を生じることなく出動作時には所定の停止作用が好ましく得られるドロワ装置を提供することにある。
【課題を解決するための手段】
【０００８】
本発明の一態様によれば、第１の方向を規定したドロワ本体と、前記第１の方向に含まれた出方向及び入方向で前記ドロワ本体に対し出入り可能な引き出しとを含むドロワ装置において、前記引き出しは、前記第１の方向に直交する第２の方向において可動なピンを備え、前記ドロワ本体は、前記第２の方向で互いに隣接した、前記ピンの通路となる第１及び第２の通路、前記第１の通路を前記第２の通路の途中に連通させた、前記ピンが通過可能な連通路、及び前記第１の通路での前記ピンの前記出方向への移動を一時停止させると共に前記ピンを前記第１の通路から前記連通路を通して前記第２の通路に移送するピン制御機構を備えたことを特徴とするドロワ装置が得られる。
【０００９】
前記ピン制御機構は、前記第１の通路に配されて前記連通路を開閉する可動なストッパー部と、前記ストッパー部を付勢して前記連通路を閉鎖させたストッパー付勢バネとを含み、前記引き出しが前記出方向に進むときには、前記ピンは、前記第１の通路に沿って移動し、その移動の途中で前記ストッパー部により停止され、かつ前記ストッパー部を押し動かして前記連通路を開放させ、前記第１の通路から前記連通路を通って前記第２の通路に移って移動し、前記引き出しが前記入方向に戻るときには、前記ピンが前記第２の通路に沿って移動して前記連通路をすぎてから前記第１の通路に移るように構成されてもよい。
【００１０】
前記ストッパー部は、前記第１の方向における移動を伴って前記連通路を開閉するものであり、前記ドロワ本体は、前記ストッパー部を前記第１の方向で案内するガイド部を備えてもよい。
【００１１】
前記ストッパー部及び前記ガイド部の少なくとも一方は、前記ピンを前記第１の通路から前記第２の通路に移動させる斜面を有してもよい。
【００１２】
前記ストッパー付勢バネは、前記ガイド部と前記ストッパー部との間に介装され、前記ストッパー部を前記入方向に付勢していてもよい。
【００１３】
前記引き出しは、前記ピンを前記第２の方向において前記第２の通路から前記第１の通路に向けて付勢したピン付勢バネを備えてもよい。
【００１４】
前記引き出しは、回動可能な支持部材を備え、前記ピン付勢バネは前記支持部材を回動方向で一方に付勢しており、前記ピンは前記支持部材の回動部分に備えられていてもよい。
【発明の効果】
【００１５】
本発明の一態様によるドロワ装置は、引き出しの入動作に不都合を生じることなく出動作時には所定の停止作用が好ましく得られるという効果を奏する。
【図面の簡単な説明】
【００１６】
【図１】本発明の一実施形態に係るドロワ装置の二段開放動作を説明するための図である。
【図２】本発明の一実施形態に係るドロワ装置の引き出しを引き出した状態を、外装カバーを外して示した斜視図である。
【図３】図２のドロワ装置に含まれた引き出しの要部を示し、（ａ）は上側から見た斜視図、（ｂ）は下側から見た斜視図である。
【図４】図２のドロワ装置に含まれた二段開放装置を示し、（ａ）は上側から見た斜視図、（ｂ）は同じく断面図である。
【図５】図３の引き出しに備えたピンと図４の二段階開放装置との関係を説明するための説明図である。
【発明を実施するための形態】
【００１７】
先ず図１を参照して、本発明の一実施形態に係るドロワ装置の基本的な構成及び動作について説明する。
【００１８】
図１（ａ）〜(ｃ)に示すドロワ装置は、キャビネット又はドロワ本体１と、ドロワ本体１に対し第１の方向即ち前後方向Ｘで出入り可能な引き出し２とを含む。ここで、引き出し２を前方に引き出す方向を出方向Ｘ１と呼び、引き出し２を後方に押し込む方向を入方向Ｘ２と呼ぶ。
【００１９】
図１（ａ）は、ドロワ本体１に引き出し２の全体が収納された全閉状態を示す。ドロワ本体１から引き出し２が出方向Ｘ１に引き出されると、その引き出し途中で図１（ｂ）に示すように引き出し２が一時停止状態になる。引き出し２を出方向Ｘ１に強く引くと、一時停止状態が解放され、ドロワ本体１から引き出し２が出方向Ｘ１にさらに引き出され、図１（ｃ）に示すような全開状態を得ることができる。このように、引き出し２を引き出す途中で一時停止状態が得られる開放動作を、ここでは二段開放動作と呼ぶ。
【００２０】
図１（ｃ）に示すような全開状態からドロワ本体１に引き出し２を入方向Ｘ２に押し込むと、引き出し２は途中で一時停止状態になることなくスムースにドロワ本体１に全体が収納され、図１（ａ）に示す全閉状態となる。
【００２１】
次に図２〜図４を参照して、ドロワ装置の具体的な構成について説明する。
【００２２】
図２において、ドロワ本体１の上面には前後方向Ｘでの途中部分に二段開放装置３が備えられている。一方、引き出し２の後端部には、前後方向Ｘに直交する第２の方向即ち左右方向Ｙで二段開放装置３に対応する位置に、ピン装置４が備えられている。
【００２３】
図３（ａ）、(ｂ)に示すように、ピン装置４は、引き出し２の底面に支軸５で回動可能に備えられた支持部材６と、支持部材６の回動部分又は回動端に固定されたピン７とを含んでいる。こうして、ピン７は支軸５の回りで円軌道運動可能にされている。これは、左右方向Ｙで離間した第１及び第２の位置Ｐ１及びＰ２間においてピン７が移動可能であることを意味する。
【００２４】
上述したピン７の移動は、引き出し２のガイド溝８に支持部材６が挿通されることより案内される。さらに、引き出し２と支持部材６とに係合したピン付勢バネ（図示せず）により、ピン７は第１の位置Ｐ１に向けて付勢されている。また、前後方向Ｘ及び左右方向Ｙに直交する第３の方向即ち上下方向Ｚにおいて、ピン７は支持部材６から下方即ちドロワ本体１の上面に向かって突出している。
【００２５】
図４（ａ）、(ｂ)に示すように、二段開放装置３は、左右方向Ｙで互いに隣接して前後方向にのびた、ピン７の通路となる第１の通路１１及び第２の通路１２と、第１の通路１１を第２の通路１２の途中部分に連通させた、ピン７が通過可能な連通路１３と、第１の通路１１でのピン７の出方向Ｘ１への移動を一時停止させると共に、ピン７を第１の通路１１から連通路１３を通して第２の通路１２に移送するピン制御機構１４とを備えている。第１の通路１１、第２の通路１２、及び連通路１３は、いずれも上面が開放されたている。
【００２６】
ピン制御機構１４は、第１の通路１１に配され、前後方向Ｘにおける移動を伴って連通路１３を開閉する可動なストッパー部１５と、ストッパー部１５を前後方向Ｘで案内する位置固定のガイド部１６と、ガイド部１６の内部でガイド部１６とストッパー部１５との間に介装され、ストッパー部１５を入方向Ｘ２に付勢して連通路１３を閉鎖させたストッパー付勢バネ１７とを含んでいる。なお、ストッパー部１５の後端には斜面１８が形成され、またガイド部１６の前端及び後端にも斜面１９ａ，１９ｂが夫々形成されている。
【００２７】
次に図５をも参照して、ドロワ装置の動作について説明する。
【００２８】
図１（ａ）に示す全閉状態から引き出し２が人手により引かれて出方向Ｘ１に進むと、その進行の途中でピン（便宜上、円形で模式的に示す）７が二段開放装置３に対向する位置に至る。そして、ピン７は先ず第１の通路１１に進入する。このとき、ピン７は第１の位置Ｐ１にある。引き出し２が更に出方向Ｘ１に進むと、ピン７は第１の通路１１に沿って図５（ａ）に太実線で示すように移動し、その移動の途中でストッパー部１５に当接する。その結果、引き出し２は図１（ｂ）に示す半開状態で一時的に停止される。
【００２９】
図１（ｂ）の状態において引き出し２が人手により出方向Ｘ１に強く引かれると、ピン７がストッパー部１５をストッパー付勢バネ１７に逆らって出方向Ｘ１に押圧移動させる。この結果、連通路１３が図５（ｂ）のように開放されるので、ピン７はストッパー部１５の斜面１８及び／又はガイド部１６の前端の斜面１９ａに案内されつつ連通路１３を通って第２の通路１２に移る。したがって、引き出し２の停止状態は解放される。このとき、ピン７は第２の位置Ｐ２に移動する。また同時に、ストッパー部１５はストッパー付勢バネ１７により入方向Ｘ２に押されて元の位置に復帰し、連通路１３を閉鎖する。
【００３０】
その後、引き出し２は人手により出方向Ｘ１に引かれると、図１（ｃ）に示す全開状態まで簡単かつスムースに引き出される。引き出し２の移動の途中で、ピン７は二段開放装置３から離れ、上述したピン付勢バネにより第１の位置Ｐ１に復帰する。このときのピン７の移動軌跡を図５（ｂ）に太実線で示す。
【００３１】
また、図１（ｃ）に示す全開状態から引き出し２が人手により押されて入方向Ｘ２に戻るときに二段開放装置３に対向する位置に至ると、ピン７がガイド部１６の後端の斜面１９ｂに案内されつつ第１の位置Ｐ１から第２の位置Ｐ２に移動して第２の通路１２に進入する。このときには連通路１３がストッパー部１５により閉鎖されているので、図５（ｃ）に太実線で示すように、ピン７は第２の通路１２のみを通って入方向Ｘ２に移動する。ピン７は、二段開放装置３から離れると、上述したピン付勢バネにより第１の位置Ｐ１に復帰する。
【００３２】
以後、引き出し２の出し入れに応じて同じ動作を繰り返すことは言うまでもない。
【００３３】
上述したドロワ装置は、引き出しの入動作に不都合を生じることなく出動作時には所定の停止作用が好ましく得られるという効果を奏する。大型のキャッシュドロワはもとより小型のキャッシュドロワにおいても二段開放動作を容易に可能にする。さらに、低コスト化が可能であるため、二段開放動作を製品仕様へ盛り込むことが容易である。また、オプション品として、後で取り付けることも容易である。
【００３４】
なお、上述では特定の実施形態を用いて説明したが、様々な変形が可能であり、それらの変形も本発明に包含されることは勿論である
【産業上の利用可能性】
【００３５】
本発明は、店舗販売 （百貨店、スーパーマーケット 、コンビニエンスストア 、ドラッグストア、専門店など）の清算システムに含まれる大型のキャッシュドロワはもとより小型のキャッシュドロワへも適用が容易である。
【符号の説明】
【００３６】
１  キャビネット又はドロワ本体
２  引き出し
３  二段開放装置
４  ピン装置
５  支軸
６  支持部材
７  ピン
８  ガイド溝
１１  第１の通路
１２  第２の通路
１３  連通路
１４  ピン制御機構
１５  ストッパー部
１６  ガイド部
１７  ストッパー付勢バネ
１８，１９ａ，１９ｂ  斜面
Ｐ１  第１の位置
Ｐ２  第２の位置
Ｘ  第１の方向（前後方向）
Ｘ１  出方向
Ｘ２  入方向
Ｙ  第２の方向（左右方向）
Ｚ  第３の方向（上下方向）
【図１】
2011113242.tif 000003
【図２】
2011113242.tif 000004
【図３】
2011113242.tif 000005
【図４】
2011113242.tif 000006
【図５】
2011113242.tif 000007